(57)【要約】【課題】元来の機能を有すると共に、収納に便利であり、且つ気ままに任意に組立てることができる優れた囲い構造を提供する。【解決手段】複数個の相同の幾何造形に形成され、且つ幅が異なる独立の単一囲い個体を組立ててなる囲い構造であり、それぞれの囲い個体の周辺部に連結手段が設けられ、それによって囲いを逐一的に相互に連結固定して所定の囲う空間を形成するように実施し、且つ囲いの中間部に収納区域が形成され、そこにそれぞれ異なる幅の囲い個体を相互に取り付けられ、収納に利用でき、占用スペースを縮減できるようにする。【選択図】　　図３
0003097096.tif 000002
【実用新案登録請求の範囲】
【請求項１】
複数個の相同の幾何造形に形成され、且つ幅が異なる独立の単一囲い個体を組立ててなる囲い構造であり、それぞれの囲い個体の周辺部に連結手段が設けられ、それによって囲いを逐一的に相互に連結固定して所定の囲う空間を形成するように実施し、且つ囲いの中間部に収納区域が形成され、そこにそれぞれ異なる幅の囲い個体を相互に取り付けられ、収納に利用でき、占用スペースを縮減できることを特徴とする、囲い構造。
【請求項２】
前記囲い同士の連結方式として嵌合組立方式を採用し、囲いの外周層面に複数の所定の長さの嵌合リブが形成され、且つそれらの対応側における嵌合孔部に合せて、複数個の囲い同士の逐一的な相互嵌合を進めることによって所定の囲いの長さと外形を形成できることを特徴とする、請求項１に記載の囲い構造。
【請求項３】
前記囲い同士の連結方式として枢着組立方式を採用し、囲いの外周層面に所定の長さの枢着部が設けられると共に、それらの対応側における枢着孔に合せて、複数の囲い同士の逐一的な相互枢着加工を進めることによって所定の囲い長さと外形を形成するように枢着作業を進めることを特徴とする、請求項１に記載の囲い構造。
【請求項４】
前記囲い同士の連結方式として跨って配置組立方式を採用し、囲いの上下端にそれぞれの所定の深さを有する収納槽が形成され、そこに対応する幅を有する載置板が載置され、同時に複数個の囲い同士を一体になるように跨って配置組立て作業を進めることによって所定の囲いの長さと外形を達成することを特徴とする、請求項１に記載の囲い構造。
【請求項５】
前記囲い同士の連結方式として挿着組立方式を採用し、囲いの上下端にそれぞれ所定の深さを有する収納槽を形成し、そこに対応幅を有する挿着ピンを挿着し、同時に二つの囲い同士を一体になるように挿着する作業を進めることによって所定の囲いの長さと外形を達成することを特徴とする、請求項１に記載の囲い構造。
【請求項６】
それぞれの囲いの対応しあう外側層壁部にそれぞれ内方が幅広く外方が幅狭いスリットが凹んで形成され、それらに所定の幅の連結部材の両側辺部の前記スリットの形態によって決められる該当しあう係止端を合わせられ、組立時に連結部材の二つの係止端をそれぞれ隣り合うように配置される囲いの、凹んで形成されるスリットの一端より平行に係入し、複数個の囲い同士を所定の長さと外形を有するように架設できることを特徴とする、請求項１に記載の囲い構造。
【考案の詳細な説明】
【０００１】
【考案の属する技術分野】
本考案は、囲い構造に係わり、特に花卉を植える園芸用の植木囲いや庭園景色作成用の景観式囲いや児童遊戯区の囲いなどの使途に用いられる囲い造形に関するもので、独立の単一囲い個体の設計を相同の幾何造形に形成させながら幅を異ならせるようにすることによって包装と運輸の体積を縮減でき、単一の囲い個体に対し相互に組立てる機能を有し、消費者が自分の好みに従って自分で組立てられ、組立が容易であると共に、ＤＩＹ（Ｄｏ　Ｉｔ　Ｙｏｕｒｓｅｌｆ）の楽しみを提供できる、囲い構造に関するものである。
【０００２】
【従来の技術およびその課題】
関連業者の開発した囲いは大体単一形式の板状設計を採用し、その外表層面に縞を形成させ、また、板状囲いを平面の幾何造形変化をし、そのため、立体的美観が欠如し、且つ三面以上を囲う場合に立てられ、他に、マーケットにおける売り場の販売した囲いがすべて所定の仕様を有する一体成形の中空管状の囲い造形体（１０）（図１参照）であり、それらが一体成形されるため、運搬と保管にまたは包装において体積の浪費を招き（図２参照）、それに対してコストも高くなり、且つ単一の決まって仕様であるので、消費者は自分のニーズに応じて変化を求められず、当該単一仕様に我慢しなければならず、創作性と変化性と美観性が欠如したものとなっている。
【０００３】
【考案の目的】
本考案は、前記の板状囲いや立体囲いなどにおける実際に使用した際の欠点に対し具体的な改良を施すことによって、前記それぞれの欠陥を解消しようとするものであり、本来の機能を有すると共に、収納に便利であり、且つ気ままに任意に組立てることができる優れた囲い構造を提供することをその主要な目的とする。
【０００４】
【課題を解決するための手段】
本考案は、前記の目的を達成するために、植木囲いや景観囲いや遊戯区囲いなどの使途に使用される囲い構造を提供し、それは複数の相同の幾何造形を有すると共に、それぞれ異なる幅を有する独立の単一囲い個体の造形に係わり、且つそれぞれの囲い個体の周辺部にそれぞれ相互に対応する嵌合リブと嵌合孔部を形成することによって、それぞれ異なる幅を有する囲い個体を相互に嵌挿収納できるようにし、他に使用時に囲い個体を逐一的に配列・嵌合することによって所定の要する区域仕様を形成することにより囲いに多様化の特性とＤＩＹの楽しさを有させるように考案するものを提供する。
【０００５】
【考案の実施の形態】
以下、添付図面を参照しながら本考案の好適な実施の形態を詳細に説明する。図３と図４に示すように、本考案による囲い構造は複数個の相同の幾何形状に形成されると共に、それぞれ異なる幅を有する独立の単一囲い（１，２，３）からなるものであり、そのうち、それぞれの単一囲い（１，２，３）の中間部に収納区域（１１，２１，３１）が形成され、そこに囲い（２，３）の相互の嵌合収納を実施でき（図４参照）、また、囲い（１，２，３）の外周層面に複数の所定の長さに形成される嵌合リブ（１２，２２，３２）が形成され、このような構成においては、囲おうとする区域のサイズに従って囲い（１，２，３）の外周に設けられる嵌合リブ同士（１２，２２，３２）と嵌合孔部（１３，２３，３３）同士とを逐一的に配列して嵌合を実行し（図５と図６参照）、複数個の囲い（１，２，３）同士を嵌合することによって所定の長さと外形を有する囲い構造を制作する（図７参照）。他に、収納時に、単に幅がそれぞれ異なる囲い（１，２，３）同士をサイズに従って逐一的に一体になるように嵌合収納することによって占用スペースを減少する効果を達成する（図８参照）。
【０００６】
本考案の囲い（１，２，３）の組立方式として枢着方式を採用でき（図９と図１０参照）、囲い（１，２，３）同士の外周層面にそれぞれ対応しあう枢着部（１２’、２２’、３２’）と枢着孔（１３’、２３’、３３’）とを設け、このような構成においては、囲おうとする区域の大きさに応じて囲い（１，２，３）同士の枢着部（１２’、２２’、３２’）と枢着孔（１３’、２３’、３３’）とを逐一的に一体になるように枢着でき（図１１と図１２参照）、所定の長さと外形を有する囲い構造（図１３参照）を作れる。他に、収納時に囲い（１，２，３）をサイズに従って逐一的に一体になるように嵌合収納すればよい（図１４参照）。
【０００７】
また、本考案による囲い（１，２，３）同士の組立方式として跨って配置する形式（図１５と図１６参照）を採用でき、そのような場合では、囲い（１，２，３）同士の上下端にそれぞれ所定の深さを有する収納槽（１４，２４，３４）が形成され、ここに対応する幅を有する載置板（４）を配設して組立てられる。この場合には、囲う区域のサイズに応じて複数個の囲い（１，２，３）同士の収納槽（１４，２４，３４）を揃えられ、また、載置板（４）を同時に複数個の囲い（１，２，３）同士の収納槽（１４，２４，３４）内に置き入れる（図１７と図１８参照）。こうする場合では、所定の長さと外形を有する囲いを形成できる（図１９参照）。他に、収納時、囲い（１，２，３）同士を逐一的に一体になるように嵌合収納でき、また、その後で前記載置板（４）を縦方向に沿って収納区域（３１）内に挿着する（図２０参照）。
【０００８】
また、本考案による囲い（１，２，３）同士の組立方式として挿着形式を採用でき（図２１と図２２参照）、このような構成においては、囲い（１，２，３）の上下端にそれぞれ挿着槽（１４’、２４’、３４’）が形成され、これに対応する幅を有する挿着ピン（４’）を挿着でき、囲おうとする区域の大きさに応じて複数個の囲い（１，２，３）同士の挿着槽（１４’，２４’、３４’）を隣り合うように整えられ、また、挿着ピン（４’）を同時に二つの囲い同士（１，２，３）の挿着槽（１４’、２４’、３４’）内に挿入し（図２３と図２４参照）、所定の長さと外形を有する囲い構造を取得する（図２５参照）。また、収納時に、挿着ピン（４’）をそれぞれ単一囲い（１，２，３）の挿着槽（１４’、２４’、３４’）内に挿入してから囲い（１，２，３）同士をサイズに従って逐一的に一体になるように嵌合収納する（図２３と図２６参照）。
【０００９】
本考案の設計は相互に収納しあうことができる複数個の囲い（１，２）（図２７参照）を作製することができるが、その一端に遮蔽面（１５）を作ると共に、他端に開口状の収納区域（１１，２１）を形成し、且つそれぞれの囲い（１，２）の対応しあう外側層壁にそれぞれ内方が広く外方が狭いスリット（１６，２６）を形成し（ここでは、スリット（１６，２６）の幅と深さが同一になる実施の形態を開示する）、所定の幅の連結部材（５）の両側の前記スリット（１６，２６）の形態に従って作られる係止端（５１）を形成し（ここでは、連結部材（５）の周辺造形として湾曲板体の実施例を挙げて説明し、そのような物品によっては、造形がより優美である合せ形態を形成できる）、組立時に、連結部材（５）の二つの係止端（５１）をそれぞれ隣り合う囲い（１，２）のスリット（１６，２６）の一端より平行して嵌合でき、囲い（１，２）の相互間の組立位置決めを実行できる（図２８参照）。
【００１０】
囲い（１，２）に対し、所要の使途の囲い架設（図２９参照）を実行する場合、複数個の囲い（１，２）同士を予定の範囲に従って逐一的にアレンジでき、かつ二つの囲い（１，２）同士の間に連結部材（５）における係止端（５１）によって結合組立てられ、所要の周辺造形の囲いを架設できる。
【００１１】
囲い（１，２）同士が使用しない場合にそれらを収納し（図３０参照）、複数個の囲い（１，２）同士をサイズに応じて連結部材（５）の有する係止端（５１）によって結合組立てられ、所要の周辺造形を囲うことが実施できる。
【００１２】
本考案の囲い（１，２，３）同士の制作時に、業者が所要する場所に従ってその幾何造形と仕様と高さと単一収納数量とを柔軟に決められ、且つ単一収納する囲い（１，２，３）もそれぞれ異なる色彩を有する物品を採用して配置でき、これにより、消費者が自己の購入する複数セットの収納後の囲い同士を使ってＤＩＹ組立を実施でき、囲い（１，２，３）同士にもっとも大きな使用効率を有させるように処置することができる。
【図面の簡単な説明】
【図１】従来の一体成形タイプの囲い構造の外見を示す説明図である。
【図２】従来の一体成形タイプの囲い構造の包装状態を示す平面図である。
【図３】本考案の囲い構造の第一の実施の形態を示す分解斜視図である。
【図４】本考案の囲い構造の第一の実施の形態を示す収納状態図である。
【図５】本考案の囲い構造の第一の実施の形態を示す組立斜視図である。
【図６】本考案の囲い構造の第一の実施の形態を示す組立断面図である。
【図７】本考案の囲い構造の第一の実施の形態の囲い組立状態を示す平面図である。
【図８】本考案の囲い構造の第一の実施の形態の収納終了の場合を示す平面図である。
【図９】本考案の囲い構造の第二の実施の形態を示す分解斜視図である。
【図１０】本考案の囲い構造の第二の実施の形態を示す収納状態図である。
【図１１】本考案の囲い構造の第二の実施の形態を示す組立斜視図である。
【図１２】本考案の囲い構造の第二の実施の形態を示す組立断面図である。
【図１３】本考案の囲い構造の第二の実施の形態の囲い組立状態を示す平面図である。
【図１４】本考案の囲い構造の第二の実施の形態の収納終了の場合を示す平面図である。
【図１５】本考案の囲い構造の第三の実施の形態を示す分解斜視図である。
【図１６】本考案の囲い構造の第三の実施の形態を示す収納状態図である。
【図１７】本考案の囲い構造の第三の実施の形態を示す組立斜視図である。
【図１８】本考案の囲い構造の第三の実施の形態を示す組立断面図である。
【図１９】本考案の囲い構造の第三の実施の形態の囲い組立状態を示す平面図である。
【図２０】本考案の囲い構造の第三の実施の形態の収納終了の場合を示す平面図である。
【図２１】本考案の囲い構造の第四の実施の形態を示す分解斜視図である。
【図２２】本考案の囲い構造の第四の実施の形態を示す収納状態図である。
【図２３】本考案の囲い構造の第四の実施の形態を示す組立斜視図である。
【図２４】本考案の囲い構造の第四の実施の形態を示す組立断面図である。
【図２５】本考案の囲い構造の第四の実施の形態の囲い組立状態を示す平面図である。
【図２６】本考案の囲い構造の第四の実施の形態の収納終了の場合を示す平面図である。
【図２７】本考案の囲い構造の第五の実施の形態を示す分解斜視図である。
【図２８】本考案の囲い構造の第五の実施の形態を示す組立斜視図である。
【図２９】本考案の囲い構造の第五の実施の形態の囲い組立状態を示す平面図である。
【図３０】本考案の囲い構造の第五の実施の形態の収納終了の場合を示す平面図である。
【符号の説明】
１，２，３　　囲い
４　　　　　　載置板
４’　　　　　挿着ピン
５　　　　　　連結部材
１０　　　　　囲い構造
１１，２１，３１　収納区域
１２，２２，３２　嵌合リブ
１２’、２２’、３２’　枢着部
１３，２３，３３　嵌合孔部
１３’、２３’、３３’　枢着孔
１４，２４，３４　収納槽
１４’、２４’、３４’　挿着ピン
１５　　　　　遮蔽面
１６，２６　　スリット
５１　　　　　係止端
【図１】
0003097096.tif 000003
【図２】
0003097096.tif 000004
【図３】
0003097096.tif 000005
【図４】
0003097096.tif 000006
【図５】
0003097096.tif 000007
【図６】
0003097096.tif 000008
【図７】
0003097096.tif 000009
【図８】
0003097096.tif 000010
【図９】
0003097096.tif 000011
【図１０】
0003097096.tif 000012
【図１１】
0003097096.tif 000013
【図１２】
0003097096.tif 000014
【図１３】
0003097096.tif 000015
【図１４】
0003097096.tif 000016
【図１５】
0003097096.tif 000017
【図１６】
0003097096.tif 000018
【図１７】
0003097096.tif 000019
【図１８】
0003097096.tif 000020
【図１９】
0003097096.tif 000021
【図２０】
0003097096.tif 000022
【図２１】
0003097096.tif 000023
【図２２】
0003097096.tif 000024
【図２３】
0003097096.tif 000025
【図２４】
0003097096.tif 000026
【図２５】
0003097096.tif 000027
【図２６】
0003097096.tif 000028
【図２７】
0003097096.tif 000029
【図２８】
0003097096.tif 000030
【図２９】
0003097096.tif 000031
【図３０】
0003097096.tif 000032
【手続補正書】
【提出日】平成15年5月16日(2003.5.16)
【手続補正１】
【補正対象書類名】明細書
【補正対象項目名】請求項１
【補正方法】変更
【補正の内容】
【請求項１】
複数個の相同の幾何造形に形成され、且つ幅が異なる独立の単一囲いを組立ててなる囲い構造であり、それぞれの囲いの周辺部に連結手段が設けられ、それによって囲いを逐一的に相互に連結固定して所定の囲う空間を形成するように実施し、且つ囲いの内側に収納区域が形成され、そこにそれぞれ異なる幅の囲いを相互に取り付けられ、収納に利用でき、占用スペースを縮減できることを特徴とする、囲い構造。
【手続補正２】
【補正対象書類名】明細書
【補正対象項目名】０００１
【補正方法】変更
【補正の内容】
【０００１】
【考案の属する技術分野】
本考案は、囲い構造に係わり、特に花卉を植える園芸用の植木囲いや庭園景色作成用の景観式囲いや児童遊戯区の囲いなどの使途に用いられる囲い造形に関するもので、独立の単一囲いの設計を相同の幾何造形に形成させながら幅を異ならせるようにすることによって包装と運輸の体積を縮減でき、単一の囲いに対し相互に組立てる機能を有し、消費者が自分の好みに従って自分で組立てられ、組立が容易であると共に、ＤＩＹ（Ｄｏ　Ｉｔ　Ｙｏｕｒｓｅｌｆ）の楽しみを提供できる、囲い構造に関するものである。


【手続補正３】
【補正対象書類名】明細書
【補正対象項目名】０００４
【補正方法】変更
【補正の内容】
【０００４】
【課題を解決するための手段】
本考案は、前記の目的を達成するために、植木囲いや景観囲いや遊戯区囲いなどの使途に使用される囲い構造を提供し、それは複数の相同の幾何造形を有すると共に、それぞれ異なる幅を有する独立の単一囲いの造形に係わり、且つそれぞれの囲いの周辺部にそれぞれ相互に対応する嵌合リブと嵌合孔部を形成することによって、それぞれ異なる幅を有する囲いを相互に嵌挿収納できるようにし、他に使用時に囲いを逐一的に配列・嵌合することによって所定の要する区域仕様を形成することにより囲いに多様化の特性とＤＩＹの楽しさを有させるように考案するものを提供する。


【手続補正４】
【補正対象書類名】明細書
【補正対象項目名】０００５
【補正方法】変更
【補正の内容】
【０００５】
【考案の実施の形態】
以下、添付図面を参照しながら本考案の好適な実施の形態を詳細に説明する。図３と図４に示すように、本考案による囲い構造は複数個の相同の幾何形状に形成されると共に、それぞれ異なる幅を有する独立の単一囲い（１，２，３）からなるものであり、そのうち、それぞれの単一囲い（１，２，３）の内側に収納区域（１１，２１，３１）が形成され、そこに囲い（２，３）の相互の嵌合収納を実施でき（図４参照）、また、囲い（１，２，３）の外周層面に複数の所定の長さに形成される嵌合リブ（１２，２２，３２）が形成され、このような構成においては、囲おうとする区域のサイズに従って囲い（１，２，３）の外周に設けられる嵌合リブ同士（１２，２２，３２）と嵌合孔部（１３，２３，３３）同士とを逐一的に配列して嵌合を実行し（図５と図６参照）、複数個の囲い（１，２，３）同士を嵌合することによって所定の長さと外形を有する囲い構造を制作する（図７参照）。他に、収納時に、単に幅がそれぞれ異なる囲い（１，２，３）同士をサイズに従って逐一的に一体になるように嵌合収納することによって占用スペースを減少する効果を達成する（図８参照）。